(57)【特許請求の範囲】
【請求項１】
多組成物系であって、
漂白系を含む第１の組成物と、
コア−シェル型封入体を含む第２の組成物であって、
前記シェルはアクリレート材料を含み、
前記コアは有益剤を含む、第２の組成物と、を含み、
前記漂白系が、フタルイミド−ペルオキシ−アルカン酸、又はその塩を含み、
前記第１の組成物、前記第２の組成物、又はその両方が液体組成物である、多組成物系。
【請求項２】
前記アクリレート材料が、ポリアクリレート、ポリエチレングリコールアクリレート、ポリウレタンアクリレート、エポキシアクリレート、ポリメタクリレート、ポリエチレングリコールメタクリレート、ポリウレタンメタクリレート、エポキシメタクリレート、及びこれらの混合物から選択される、請求項１に記載の多組成物系。
【請求項３】
前記アクリレート材料が、１つ以上の多官能性アクリレート部分に由来するポリマーを含む、請求項１又は２に記載の多組成物系。
【請求項４】
前記有益剤が香料原料を含む、請求項１〜３のいずれか一項に記載の多組成物系。
【請求項５】
前記コアが、植物油、変性植物油、プロパン−２−イルテトラデカノエート、及びこれらの混合物からなる群から選択される分配調整剤を更に含む、請求項１〜４のいずれか一項に記載の多組成物系。
【請求項６】
前記封入体が、前記封入体の壁の外表面を少なくとも部分的にコーティングする付着ポ
リマーを含む、請求項１〜５のいずれか一項に記載の多組成物系。
【請求項７】
前記多組成物系が多区画容器内に収容され、前記第１の組成物は前記容器の第１の区画内にあり、前記第２の組成物は前記容器の第２の区画内にある、請求項１〜６のいずれか一項に記載の多組成物系。
【請求項８】
前記第２の組成物が、該第２の組成物の５重量％〜６０重量％の界面活性剤系を更に含み、
前記界面活性剤系は、アニオン性界面活性剤、非イオン性界面活性剤、カチオン性界面活性剤、双性イオン界面活性剤、両性界面活性剤、両性電解質界面活性剤、及びこれらの混合物から選択される洗浄性界面活性剤を含む、請求項１〜７のいずれか一項に記載の多組成物系。
【請求項９】
布地を処理する方法であって、前記方法は、
ａ）漂白系を含む第１の組成物と布地を接触させる工程と、
ｂ）コア−シェル型封入体を含む第２の組成物であって、
前記シェルはアクリレート材料を含み、
前記のコアは有益剤を含む、第２の組成物と前記布地を接触させる工程と、を含み、 前記漂白系が、フタルイミド−ペルオキシ−アルカン酸、又はその塩を含み、
前記第１の組成物、前記第２の組成物、又はその両方が液体組成物である、方法。
【請求項１０】
工程ａ）及びｂ）が、同時に起こる、請求項９に記載の方法。
【請求項１１】
前記布地に接触させる前に、
（ａ）前記第１及び第２の組成物は、多区画容器内に収容されているか、又は
（ｂ）前記第１の組成物は、第１の容器内に収容され、前記第２の組成物は、第２の容器内に収容されている、請求項９又は１０に記載の方法。
【発明の詳細な説明】
【技術分野】
【０００１】
本開示は、漂白系及び封入体を含む、多組成物系に関する。本開示は、布地を処理する関連方法に更に関する。
【背景技術】
【０００２】
漂白剤は、洗濯、自動食器洗浄、及び／又は硬質表面洗浄組成物などの様々な種類の洗浄組成物において洗浄及び悪臭効果を提供することが知られている。例えば、漂白剤は、除去しなければ洗浄組成物によって表面上に付着した香料の特性に望ましくない影響を及ぼし得る悪臭汚れを除去し得る。しかしながら、漂白剤は、酵素又は香料などの洗浄組成物の他の活性成分の安定性に影響を及ぼし得る。
【０００３】
漂白剤と他の活性物質との間の相互作用を最小限に抑えるために、様々な戦略が採用されてきた。例えば、輸送及び保管中に漂白剤及び他の活性物質を分離させたままにするために、二重容器系が提案されてきた。しかしながら、漂白剤及び他の活性物質は、なお、自動洗濯機での洗浄サイクル中など、通常の使用中に互いに接触する。結果として、比較的短い接触時間にもかかわらず、漂白剤の存在下での分解により、活性成分の有効性は低減され得る。
【０００４】
他の戦略としては、例えば、漂白剤又は活性物質のいずれかを保護シェル内に封入することによって、活性成分を漂白剤から保護する試みが挙げられ得る。有益剤を封入するのに有用なシェル材料としては、メラミン−ホルムアルデヒド系ポリマーが挙げられる。香料などの活性剤の封入はまた、遅延放出特性などの望ましい持続性効果を提供し得る。しかしながら、このようなコア−シェル型封入体内の活性剤は、なお洗浄に耐えなければならず、漂白剤の存在下での分解に脆弱なままであり、活性剤の有効性を低下させる。例えば、活性剤は、封入体から漏出し、洗浄液中の漂白剤によって分解され得る。
【発明の概要】
【発明が解決しようとする課題】
【０００５】
漂白剤及び封入有益剤を含む改善された洗浄系、並びに関連方法が必要とされている。
【課題を解決するための手段】
【０００６】
本開示は、漂白系を含む第１の組成物と、コア−シェル型封入体を含む第２の組成物であって、シェルはアクリレート材料を含み、コアは有益剤を含む、第２の組成物と、を含む、多組成物系に関する。
【０００７】
本開示はまた、布地を処理する方法に関し、この方法は、布地を洗浄液と接触させる工程を含み、洗浄液は、約３０ｐｐｍ〜約５００ｐｐｍの漂白系と、約１ｐｐｍ〜約２５ｐｐｍのコア−シェル型封入体であって、シェルはアクリレート材料を含み、コアは有益剤を含む、コア−シェル型封入体と、水と、を含む。
【０００８】
本開示はまた、布地を処理する方法に関し、この方法は、（ａ）漂白系を含む第１の組成物と布地を接触させる工程と、（ｂ）コア−シェル型封入体を含む第２の組成物であって、シェルはアクリレート材料を含み、コアは有益剤を含む、第２の組成物と布地を接触させる工程と、を含む。
【図面の簡単な説明】
【０００９】
本明細書の図面は、事実上例示的なものであり、限定的であることを意図したものではない。
【図１】多容器系の断面図を示す。
【図２】多区画容器の断面図を示す。
【図３】複数の単位用量物品の断面図を示す。
【図４】多区画単位用量物品の断面図を示す。
【図５】本開示による封入体を示す。
【図６】本開示によるコーティングされた封入体を示す。
【発明を実施するための形態】
【００１０】
本開示は、洗浄系及び関連方法に関する。洗浄系は、漂白剤及び封入有益剤を含み、有益剤はシェルによって取り囲まれたコアに存在し、シェルは特定のシェル材料を含む。より具体的には、シェル材料は、アクリレート材料を含み得る。要するに、このような洗浄系では、特定のシェル材料及び／又は付着補助剤を有する封入有益剤を選択することが、改善された洗いたて感をもたらし得ることが見出された。
【００１１】
列挙されたシェル材料を含む封入有益剤は、漂白剤を更に含む系で使用される場合であっても、驚くほど堅牢な利益をもたらすことが見出された。理論に束縛されるものではないが、本開示のシェル材料は、メラミンホルムアルデヒドシェル材料を含むものなどの従来の封入体よりも堅牢な封入体（封入有益剤の漏出が少ない）を提供し、それによって、封入有益剤を漂白系からコア内で効果的に保護すると考えられる。あまり堅牢でない封入体は、保管中に有益剤を周囲組成物に漏出させる場合があり、漏出した有益剤は、例えば洗浄液中で互いに接触するときに漂白系によって分解され得る。
【００１２】
付着補助剤の存在はまた、性能を改善するのに役立ち得るとも考えられる。このような付着補助剤は、封入体の外表面を少なくとも部分的にコーティングし得る堆積（又は高効率）ポリマーの形態をとり得る。したがって、封入体が堅牢な壁（例えば、メラミンホルムアルデヒド）を有さず、それにより、有益剤の少なくとも一部の漏出を可能にする場合であっても、より高い付着効率によって改善された性能が得られ得る。
【００１３】
更に、漂白系の使用は、例えば、封入有益剤の性能又は性質に影響を及ぼし得る悪臭汚れを除去又は中和することによって、適切に選択された封入体を含む組成物の全体的な性能を改善し得ると考えられる。
【００１４】
関連する系、組成物、構成成分、及び方法について、下記により詳細に説明する。
【００１５】
本明細書で使用するとき、特許請求の範囲で使用されるときの「ａ」及び「ａｎ」という冠詞は、特許請求又は記載されているもののうちの１つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１６】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１７】
本明細書で使用するとき、「布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００１８】
本明細書で使用するとき、「固体」という用語は、顆粒、粉末、バー、ビーズ、及び錠剤の製品形態を含む。
【００１９】
本明細書で使用するとき、「流体」という用語は、液体、ゲル、ペースト及び気体の製品形態を含む。
【００２０】
本明細書で使用するとき、「液体」という用語は、２５℃、２０秒１のせん断速度における粘度が約１〜約２０００ｍＰａ＊ｓである液体を有する流体を指す。いくつかの実施形態では、液体の粘度は、２５℃、２０秒１のせん断速度で、約２００〜約１０００ｍＰａ＊ｓの範囲であってよい。いくつかの実施形態では、液体の粘度は、２５℃、２０秒１のせん断速度で、約２００〜約５００ｍＰａ＊ｓの範囲であってよい。
【００２１】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００２２】
本明細書における全ての温度は、特に断らない限り、摂氏（℃）を単位とする。特に指示がない限り、本明細書における全ての測定は、２０℃及び大気圧下で行う。
【００２３】
本開示の全ての実施形態において、全ての比率（％）は、特に記載のない限り、全組成物の重量に対するものである。特に記載のない限り、全ての比は重量比である。
【００２４】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２５】
組成物
本開示は、漂白剤と、特定のシェル材料を含む封入有益剤と、を含む組成物、典型的には多組成物系に関する。封入有益剤は、ポリマーコーティングなどの付着補助剤を含んでもよい。
【００２６】
洗浄組成物は、例えば、液体、粉末、単相若しくは多相の単位用量、パウチ、錠剤、ゲル、ペースト、バー又はフレークから選択される形態を含む、任意の所望の形態を有してもよい。
【００２７】
洗浄組成物は、布地ケア組成物、食器ケア組成物、硬質表面洗浄組成物、又はこれらの組み合わせであってもよい。洗浄組成物は、布地ケア組成物、好ましくは洗濯洗剤組成物であってもよい。布地ケア組成物は、前処理洗浄方法、洗浄時洗浄方法、又はその両方に好適であってもよい。
【００２８】
洗剤組成物は、液体洗濯洗剤であってもよい。液体洗濯洗剤組成物は、約１〜約２０００センチポアズ（１〜２０００ｍＰａ・ｓ）、又は約２００〜約８００センチポアズ（２００〜８００ｍＰａ・ｓ）の粘度を有してもよい。粘度は、ブルックフィールド粘度計、２番スピンドルを使用し、６０ＲＰＭ／ｓで２５℃にて測定することができる。
【００２９】
洗濯洗剤組成物は、固形洗濯洗剤組成物であってもよく、自由流動粒子状洗濯洗剤組成物（すなわち、顆粒状洗剤製品）であってもよい。
【００３０】
布地ケア組成物は、単位用量形態であってもよい。単位用量物品は、特定用途のための、物品内に含有される組成物の、単一で使用が容易な用量を提供することを意図している。この単位容量は、パウチ又は水溶性シートの形態であってもよい。パウチは、少なくとも１、２、又は３以上の区画を有してもよい。典型的には、組成物は、この区画のうちの少なくとも１つに収容される。区画は重ねて配置される方向、即ち、これらの区画が共通の壁を共有し、一方が他方の上部に位置するように配置されてよい。少なくとも１つの区画は、別の区画と重なり合っていてもよい。あるいは、区画は並列の方向に、即ち一方が他方の隣に配向されるように位置してよい。区画は「タイヤ及びリム」配置で配向されてもよい。即ち、第１区画が第２区画の隣に配置されるが、第１区画は第２区画を少なくとも部分的に取り囲み、第２区画を完全に包囲はしない。代替的に、一方の区画が、他方の区画内に完全に囲まれていてもよい。単位用量物品は、第１の区画内に第１の組成物と、第２の区画内に第２の組成物と、を含んでもよく、両方の組成物は液体であるか、又は第１の組成物は固体／顆粒状組成物であり、第２の組成物は液体組成物である。
【００３１】
単位用量の形態は、区画を形成し、洗剤成分を封入する水溶性フィルムを含んでもよい。好ましいフィルム材料は、ポリマー材料である。例えば、水溶性フィルムはポリビニルアルコールを含んでもよい。フィルム材料は、当該技術分野において既知であるように、例えば、ポリマー材料のキャスティング、吹込成形、押出成形、又は吹込押出成形により得ることができる。好適なフィルムは、米国特許第６１６６１１７号、同第６７８７５１２号、及び同第２０１１／０１８８７８４号に記載されている、Ｍｏｎｏｓｏｌ（Ｍｅｒｒｉｌｌｖｉｌｌｅ，Ｉｎｄｉａｎａ，ＵＳＡ）により供給されている商品名Ｍ８６３０、Ｍ８９００、Ｍ８７７９、及びＭ８３１０のフィルム、並びに対応する溶解度及び変形性特性のＰＶＡフィルムである。
【００３２】
布地ケア組成物が液体である場合、布地ケア組成物は、典型的に水を含む。本組成物は、組成物の約１重量％〜約８０重量％の水を含み得る。組成物が強力液体洗剤組成物である場合、組成物は典型的には、約４０％〜約８０％の水を含む。組成物がコンパクト液体洗剤である場合、組成物は典型的には、約２０％〜約６０％、又は約３０％〜約５０％の水を含む。組成物が単位用量形態、例えば、水溶性フィルムに封入される場合、組成物は典型的には、２０％未満、又は１５％未満、又は１２％未満、又は１０％未満、又は８％未満又は５％未満の水を含む。組成物は、組成物の約１重量％〜２０重量％、又は約３重量％〜約１５重量％、又は約５重量％〜約１２重量％の水を含んでもよい。
【００３３】
多組成物系
組成物は、多組成物系の形態であってもよい。系は、第１の組成物及び第２の組成物を含んでもよい。第１の組成物、第２の組成物、又はその両方は、液体組成物であってもよい。
【００３４】
第１の組成物は、漂白剤を含んでもよく、第２の組成物は封入体を含んでもよい。第１の組成物、第２の組成物、又はその両方は、以下に記載される添加物材料を更に含んでもよい。第１、第２、又はその両方の組成物は、界面活性剤系を含んでもよい。第２の組成物は、界面活性剤組成物を含んでもよい。
【００３５】
多組成物系は、多区画系の形態であってもよい。多区画系は、第１の組成物を収容する第１の区画と、第２の組成物を収容する第２の区画と、を含んでもよい。
【００３６】
図１に示すように、多組成物系は、多容器系１の形態であってもよい。第１の区画３は、第１のボトルなどの第１の容器２の一部であってもよく、第２の区画５は、第２のボトルなどの第２の容器４の一部であってもよい。第１及び第２の容器は、それぞれ独自の閉鎖部を有する２つの別個のボトルなど、２つの別個の分離可能な容器２、４であってもよい。第１の容器２は、第１の組成物６を収容し得る。第２の容器４は、第２の組成物７を収容し得る。
【００３７】
図２に示されるように、多区画系は、多区画容器８、例えば、第１の区画３及び第２の区画５を含む単一の容器の形態であってもよい。容器８は、多区画ボトル又はチューブの形態、好ましくは二区画ボトル又はチューブの形態であってもよい。
【００３８】
多区画容器８は、第１及び第２の組成物６、７が容器から分配され得る出口９を含んでもよい。出口９は、単一の閉鎖部によって封止可能であってもよい。第１及び／又は第２の組成物６、７は、容器８の出口９から注がれるか、又は絞り出されてもよい。
【００３９】
多区画容器８は、第１及び第２の区画３、５を分離する内壁１０を含んでもよい。
【００４０】
容器（複数可）は再密閉可能であってもよく、又は単回使用のみを意図するものであってもよい。第１及び／又は第２の組成物６、７は、容器（複数可）から注がれてもよく、絞り出されてもよい。
【００４１】
図３に示されるように、多区画系は、例えば、第１の単位用量物品１２が第１の組成物６を含有し、第２の単位用量物品１３が第２の組成物７を含有する、複数１１の単位用量物品の形態であってもよい。第１及び第２の単位用量物品１２、１３は、単一のパッケージで、又は異なるパッケージで販売されてもよい。
【００４２】
図４に示すように、多区画系は、多区画単位用量物品１４の形態であってもよい。物品１４は、並べられるか、重ねておかれるか、又はタイヤ及びリム構成であり得る、第１及び第２の区画３、５を含んでもよい。
【００４３】
単位用量物品１２、１３、１４は、第１及び／又は第２の組成物３、５を封入する水溶性フィルム１５、１６、１７を含んでもよい。単位用量形態については、下記により詳細に説明する。
【００４４】
漂白剤
本開示の組成物、系、及び方法は、漂白系を含んでもよい。漂白系は、漂白剤、又は１つ以上の漂白剤を含む。
【００４５】
第１の組成物は、漂白剤を含んでもよい。第１の組成物は、液体組成物又は粒状組成物、好ましくは液体組成物の形態であってもよい。漂白剤は、漂白剤を含む固体粒子を、水、並びに任意追加的に懸濁化剤及び／又はキレート剤と共に含有するスラリーの形態であってもよい。
【００４６】
第１の組成物は、多区画系の第１の区画、好ましくは多区画容器の第１の区画内に収容されてもよい。
【００４７】
好適な漂白剤としては、光漂白剤、漂白活性化剤、過酸化水素、過酸化水素源、予備形成された過酸、漂白触媒、及びこれらの混合物が挙げられる。
【００４８】
一般に、漂白剤を用いるとき、本開示の組成物は、対象組成物の約０．１重量％〜約５０重量％、又は更には約０．１重量％〜約２５重量％の漂白剤又は漂白剤の混合物を含んでもよい。好適な漂白剤の例としては以下が挙げられる。
（１）光漂白剤、例えば、スルホン化亜鉛フタロシアニン、スルホン化アルミニウムフタロシアニン、キサンテン染料、チオキサントン、及びこれらの混合物。
（２）予備形成された過酸類。好適な予備形成された過酸としては、予備形成されたペルオキシ酸又はその塩、典型的には過カルボン酸及び塩、過炭酸及び塩、過イミド酸及び塩、ペルオキソ一硫酸及び塩、例えばＯｘｏｎｅ（登録商標）、並びにこれらの混合物からなる群から選択される化合物が挙げられるが、これらに限らない。特に好ましいペルオキシ酸は、フタルイミド−ペルオキシ−アルカン酸、特に、ε−フタルイミドペルオキシヘキサン酸（ＰＡＰ）である。好ましくは、ペルオキシ酸又はその塩の融点は３０℃〜６０℃の範囲である。
（３）過酸化水素源、例えば、過ホウ酸塩（通常、一水和物又は四水和物）、過炭酸塩、過硫酸塩、過リン酸塩、過ケイ酸塩、及びこれらの混合物のナトリウム塩などのアルカリ金属塩を含む、無機過水和物の塩。無機過水和物の塩は、使用する場合、典型的には、布地ケア及びホームケア製品全体の０．０５〜４０重量％又は１〜３０重量％の量で存在し、典型的には、コーティングされ得る結晶性固体としてこのような布地ケア及びホームケア製品に配合される。好適なコーティングとしては、無機塩、例えば、アルカリ金属ケイ酸塩、炭酸塩若しくはホウ酸塩又はこれらの混合物、又は有機物質、例えば、水溶性若しくは分散性ポリマー、ワックス、油又は脂肪石鹸などが挙げられる。
（４）Ｒ−（Ｃ＝Ｏ）−Ｌ（式中、Ｒはアルキル基であり、場合により分岐しており、漂白活性化剤が疎水性である場合、６〜１４個の炭素原子、又は８〜１２個の炭素原子を有し、漂白活性化剤が親水性である場合、６つ未満の炭素原子又は更には４つ未満の炭素原子を有し、Ｌは脱離基である）を有する漂白活性化剤。好適な脱離基の例は、安息香酸及びその誘導体、特にベンゼンスルホネートである。好適な漂白活性化剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。
（５）漂白触媒。本開示の組成物は、ペルオキシ酸及び／又はその塩から酸素原子を受け取って、その酸素原子を酸化可能な基材に転移させることができる１つ以上の漂白触媒を含んでいてもよい。好適な漂白触媒としては、イミニウムカチオン及びポリイオン；イミニウム双性イオン；修飾アミン；修飾アミンオキシド；Ｎ−スルホニルイミン；Ｎ−ホスホニルイミン；Ｎ−アシルイミン；チアジアゾールジオキシド；ペルフルオロイミン；環状糖ケトン及びαアミノ−ケトン並びにこれらの混合物が挙げられるが、これらに限定されない。特に好ましい一触媒は、４−（２−（２−（（２−ヒドロキシフェニルメチル）メチレン）−ヒドラジニル）−２−オキソエチル）−４−メチルクロリドなどのアシルヒドラゾン型である。
（６）触媒金属錯体。金属含有漂白触媒の好ましい１種は、銅、鉄、チタン、ルテニウム、タングステン、モリブデン、又はマンガンのカチオンなどの、規定の漂白触媒活性の遷移金属カチオンを含む触媒系である。
【００４９】
必要に応じて、本明細書における組成物は、マンガン化合物によって触媒され得る。このような化合物及び使用レベルは、当該技術分野において周知であり、例えば、米国特許第５，５７６，２８２号に開示されているマンガン系触媒が挙げられる。いくつかの実施形態では、組成物中に追加の酸化剤源は存在せず、空気由来の分子酸素が酸化源を提供する。
【００５０】
本明細書において有用なコバルト漂白触媒は既知であり、例えば、米国特許第５，５９７，９３６号、同第５，５９５，９６７号に記載されている。
【００５１】
存在する場合、過酸化水素／過酸及び／又は漂白活性化剤の供給源は、概して、布地ケア及びホームケア製品に基づいて約０．１〜約６０重量％、約０．５〜約４０重量％又は更には約０．６〜約１０重量％の量で組成物中に存在する。１種以上の疎水性過酸又はその前駆体は、１種以上の親水性過酸又はその前駆体と組み合わせて使用することができる。
【００５２】
典型的には、過酸化水素源及び漂白活性化剤は、一緒に配合される。有効酸素（過酸化物源由来）の過酸に対するモル比が１：１〜３５：１、又は更には２：１〜１０：１になるように、過酸化水素源及び過酸又は漂白活性化剤の量を選択してもよい。液体洗剤に配合される場合、過酸化物源及び活性化剤は、ホウ酸塩／ソルビトールなどのｐＨジャンプ系と共に低ｐＨ、典型的には３〜５で配合され得る。
【００５３】
封入有益剤
本開示の組成物、系、及び／又は方法は、本明細書において「封入体」とも呼ばれる封入有益剤を含んでもよい。
【００５４】
第２の組成物は、封入体を含んでもよい。第２の組成物は、液体組成物又は粒状組成物、好ましくは液体組成物の形態であってもよい。第１及び第２の組成物は、両方とも液体組成物であってもよい。
【００５５】
第１の組成物は、多区画系の第１の区画、好ましくは多区画容器の第１の区画内に収容されてもよい。
【００５６】
図５に概略的に示すように、封入体３１０は、コア３３０と、コア３３０を少なくとも部分的に取り囲む壁３２０と、を含んでもよい。（本明細書で使用するとき、「壁」及び「シェル」という用語は、封入体に対して互換可能に使用される。）コア３３０は、香料などの有益剤を含んでもよい。壁３２０は、外表面３２５を含んでもよい。図６に概略的に示すように、壁３２０の外表面３２５は、コーティング３４０を含んでもよい。コーティング３４０は、付着補助ポリマーなどの付着補助剤を含んでもよい。これらの要素について下記により詳細に述べる。
【００５７】
封入体の壁は、壁材料を含んでもよい。壁材料は、アクリレート材料を含んでもよい。
【００５８】
壁材料としては、ポリアクリレート、ポリエチレングリコールアクリレート、ポリウレタンアクリレート、エポキシアクリレート、ポリメタクリレート、ポリエチレングリコールメタクリレート、ポリウレタンメタクリレート、エポキシメタクリレート、及びこれらの混合物からなる群から選択されるアクリレート材料が挙げられ得る。壁材料は、ポリアクリレートポリマーを含んでもよい。壁は、約５０％〜約１００％、又は約７０％〜約１００％、又は約８０％〜約１００％のポリアクリレートポリマーを含んでもよい。ポリアクリレートは、ポリアクリレート架橋ポリマーを含み得る。
【００５９】
封入体の壁材料は、１つ以上の多官能性アクリレート部分を含む材料に由来するポリマーを含むアクリレート（acylate）材料を含んでもよい。多官能性アクリレート部分は、三官能性アクリレート、四官能性アクリレート、五官能性アクリレート、六官能性アクリレート、七官能性アクリレート、及びこれらの混合からなる群から選択され得る。壁材料は、アミンアクリレート部分、メタクリレート部分、カルボン酸アクリレート部分、カルボン酸メタクリレート部分、及びこれらの組み合わせからなる群から選択される部分を含むポリアクリレートを含んでもよい。
【００６０】
壁材料は、１つ以上の多官能性アクリレート部分及び／又はメタクリレート部分を含むアクリレート材料を含んでもよい。１つ以上の多官能性アクリレート部分を含む材料と１つ以上のメタクリレート部分を含む材料との比は、約９９９：１〜約６：４、又は約９９：１〜約８：１、又は約９９：１〜約８．５：１であり得る。多官能性アクリレート部分は、三官能性アクリレート、四官能性アクリレート、五官能性アクリレート、六官能性アクリレート、七官能性アクリレート、及びこれらの混合からなる群から選択され得る。壁材料は、アミンアクリレート部分、メタクリレート部分、カルボン酸アクリレート部分、カルボン酸メタクリレート部分、及びこれらの組み合わせからなる群から選択される部分を含むポリアクリレートを含んでもよい。
【００６１】
壁材料は、以下からなる群から選択される材料を更に含んでもよい。ポリエチレン；ポリアミド、ポリスチレン；ポリイソプレン；ポリカーボネート；ポリエステル；アクリル；アミノプラスト；ポリオレフィン；多糖類、例えば、アルギネート及び／若しくはキトサン；ゼラチン；セラック；エポキシ樹脂；ビニルポリマー；非水溶性無機材料；シリコーン；並びにこれらの混合物。
【００６２】
壁材はアミノプラストを含むことができる。アミノプラストは、ポリ尿素、ポリウレタン、及び／又はポリウレアウレタンを含み得る。アミノプラストは、アミノプラストコポリマー、例えば、メラミンホルムアルデヒド、尿素ホルムアルデヒド、架橋メラミンホルムアルデヒド、又はこれらの混合物を含み得る。壁材は、メラミンホルムアルデヒドを含んでもよく、壁は、下記に述べるようなコーティングを更に含んでもよい。封入体は、香料を含むコアと、メラミンホルムアルデヒド及び／又は架橋メラミンホルムアルデヒドを含む壁とを有することができる。封入体は、香料を含むコアと、メラミンホルムアルデヒド及び／又は架橋メラミンホルムアルデヒド、ポリ（アクリル酸）及びポリ（アクリル酸−ｃｏ−ブチルアクリレート）、並びに任意追加的にポリビニルホルムアミドを含むコーティングを含む壁と、を含んでもよい。
【００６３】
コアは、有益剤を含んでもよい。好適な有益剤は、布地などの表面に利益をもたらす有益剤であってもよい。有益剤には、香料原料、シリコーンオイル、ワックス、炭化水素類、高級脂肪酸、精油、脂質、皮膚冷却剤、ビタミン、日焼け止め剤、酸化防止剤、グリセリン、触媒、漂白剤粒子、二酸化ケイ素粒子、悪臭軽減剤、臭気制御材料、キレート化剤、帯電防止剤、柔軟剤、昆虫及びガ駆除剤、着色剤、酸化防止剤、キレート剤、増粘剤、ドレープ及びフォーム調整剤、平滑剤、しわ抑制剤、衛生化剤、消毒剤、細菌抑制剤、カビ抑制剤、白カビ抑制剤、抗ウィルス剤、乾燥剤、耐汚染剤、汚れ放出剤、布地リフレッシュ剤及び洗いたて感維持剤、塩素漂白臭気抑制剤、染料固定剤、染料移染防止剤、色保持剤、蛍光増白剤類、色復元／再生剤、抗退色剤、白色増強剤、抗磨耗剤、耐磨耗剤、布地一体化剤、摩耗防止剤、けば立ち防止剤、抑泡剤、消泡剤、紫外線保護剤、日褪せ阻害剤、抗アレルギー剤、酵素、防水剤、布地快適剤、耐収縮剤、耐伸剤、伸縮回復剤、スキンケア剤、グリセリン、及び天然活性物質、抗菌活性物質、制汗剤活性物質、カチオン性ポリマー、染料、並びにこれらの混合物からなる群から選択されてもよい。有益剤は、香料原料（ＰＲＭ）を含んでもよい。
【００６４】
本明細書で使用するとき、「香料原料」という用語は、少なくとも約１００ｇ／モルの分子量を有する化合物であって、匂い、芳香、エッセンス又は香りを、単独又は他の香料原料と一緒のいずれかで付与するうえで有用な化合物を指す。本明細書で使用するところの「香料成分」及び「香料原料」なる用語は互換可能である。香料原料という用語はまた、典型的には２つ以上のＰＲＭの混合物を指す香料「アコード」を含んでもよい。
【００６５】
一般的なＰＲＭは特に、アルコール、ケトン、アルデヒド、エステル、エーテル、亜硝酸塩、及びテルペンなどのアルケンを含む。一般的なＰＲＭのリストは、様々な参照元、例えば、「Ｐｅｒｆｕｍｅ  ａｎｄ  Ｆｌａｖｏｒ  Ｃｈｅｍｉｃａｌｓ」、Ｖｏｌｓ．Ｉ  ａｎｄ  ＩＩ；Ｓｔｅｆｆｅｎ  Ａｒｃｔａｎｄｅｒ  Ａｌｌｕｒｅｄ  Ｐｕｂ．Ｃｏ．（１９９４）及び「Ｐｅｒｆｕｍｅｓ：Ａｒｔ，Ｓｃｉｅｎｃｅ  ａｎｄ  Ｔｅｃｈｎｏｌｏｇｙ」、Ｍｉｌｌｅｒ，Ｐ．Ｍ．ａｎｄ  Ｌａｍｐａｒｓｋｙ，Ｄ．，Ｂｌａｃｋｉｅ  Ａｃａｄｅｍｉｃ  ａｎｄ  Ｐｒｏｆｅｓｓｉｏｎａｌ（１９９４）に見出すことができる。
【００６６】
コアはまた、分配調整剤を含んでもよい。好適な分配調整剤としては、植物油、変性植物油、プロパン−２−イルテトラデカノエート、及びこれらの混合物が挙げられ得る。変性植物油は、エステル化及び／又は臭素化されたものであり得る。植物油は、ヒマシ油及び／又はダイズ油を含む。分配調整剤は、プロパン−２−イルテトラデカノエートであり得る。分配調整剤は、コアの総重量に基づいて、２０％超、又は２０％超〜約８０％、又は２０％超〜約７０％、又は２０％超〜約６０％、又は約３０％〜約６０％、又は約３０％〜約５０％の濃度でコア内に存在し得る。
【００６７】
封入体は、約０．５マイクロメートル〜約１００マイクロメートル、又は約１マイクロメートル〜約６０マイクロメートルの体積加重平均封入体寸法を有してもよい。
【００６８】
封入体は、ポリビニルアルコールポリマーを含んでもよい。ポリビニルアルコールポリマーは、最終製品中のホウ酸塩化合物と相互作用し得る封入体のいずれかの場所又は領域に見出され得る。例えば、ポリビニルアルコールポリマーは、封入体のコア、壁、外表面、及び／又はコーティング中に見出され得る。ポリビニルアルコールは、コーティングなどの封入体成分として封入体に意図的に添加されてもよい。ポリビニルアルコールは、封入体製造プロセスから残る不純物として封入体中に存在してもよく、例えば、ポリビニルアルコールは、封入体が製造される際に、主シェル材料を乳化又は懸濁させるために使用されてもよい。
【００６９】
ポリビニルアルコールは、封入体の約０．５重量％〜約４０重量％、又は約０．８重量％〜約５重量％の濃度で当該封入体中に存在し得る。ポリビニルアルコールポリマーは、後述のとおり、以下の特徴のうちの１つ、すなわち、加水分解度、粘度、重合度、重量平均分子量、及び／又は数平均分子量によって特徴付けられ得る。
【００７０】
好適なポリビニルアルコールポリマーは、約５５％〜約９９％、又は約７５％〜約９５％、又は約８５％〜約９０％、又は約８７％〜約８９％の加水分解度を有し得る。好適なポリビニルアルコールポリマーは、２０℃で４％の水溶液において、約４０ｃｐｓ〜約８０ｃｐｓ、又は約４５ｃｐｓ〜約７２ｃｐｓ、又は約４５ｃｐｓ〜約６０ｃｐｓ、又は４５ｃｐｓ〜５５ｃｐｓの粘度を有し得る。好適なポリビニルアルコールポリマーは、約１５００〜約２５００、又は約１６００〜約２２００、又は約１６００〜約１９００、又は約１６００〜約１８００の重合度によって特徴付けられ得る。好適なポリビニルアルコールポリマーは、約１３０，０００〜約２０４，０００ダルトン、又は約１４６，０００〜約１８６，０００、又は約１４６，０００〜約１６０，０００、又は約１４６，０００〜約１５５，０００の重量平均分子量によって特徴付けられ得る。好適なポリビニルアルコールポリマーは、約６５，０００〜約１１０，０００、又は約７０，０００〜約１０１，０００、又は約７０，０００〜約９０，０００、又は約７０，０００〜約８０，０００ダルトンの数平均分子量によって特徴付けられ得る。本開示の封入体に見出されるポリビニルアルコールポリマーは、これらの特徴の任意の好適な組み合わせを有してもよい。
【００７１】
封入体は、封入体の０．１重量％〜１．１重量％のポリビニルアルコールを含んでもよい。ポリビニルアルコールは、特性（ｉ）５５％〜９９％の加水分解度、（ｉｉ）２０℃の４％水溶液中で４０ｍＰａ．ｓ〜１２０ｍＰａ．ｓの粘度、（ｉｉｉ）１，５００〜２，５００の重合度、（ｉｖ）６５，０００Ｄａ〜１１０，０００Ｄａの数平均分子量、のうちの少なくとも１つ又はこれらの組み合わせを有してもよい。
【００７２】
付着補助剤は、例えば、封入体の壁の外表面のコーティングとして、封入体を少なくとも部分的にコーティングしてもよい。特定のコーティングは、布地などの対象面上への封入体の付着性を向上させることができる。封入体は、約１：２００〜約１：２、又は約１：１００〜約１：４、又は更には約１：８０〜約１：１０のコーティングと壁との重量比を有し得る。コーティングは、効能ポリマーを含んでもよい。コーティングは、壁の外表面上で連続的であっても不連続的であってもよい。
【００７３】
付着補助剤としては、ポリ（メタ）アクリレート、ポリ（エチレン−無水マレイン酸）、ポリアミン、ワックス、ポリビニルピロリドン、ポリビニルピロリドンコポリマー、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、スチレン−ブタジエンラテックス、ゼラチン、アラビアゴム、カルボキシメチルセルロース、カルボキシメチルヒドロキシエチルセルロース、ヒドロキシエチルセルロース、その他の変性セルロース、アルギン酸ナトリウム、キトサン、カゼイン、ペクチン、化工デンプン、ポリビニルアセタール、ポリビニルブチラール、ポリビニルメチルエーテル／無水マレイン酸、ポリビニルピロリドン及びそのコポリマー、ポリ（ビニルピロリドン／メタクリルアミドプロピルトリメチルアンモニウムクロリド）、ポリビニルピロリドン／ビニルアセテート、ポリビニルピロリドン／ジメチルアミノエチルメタクリレート、ポリビニルアミン、ポリビニルホルムアミド、ポリアリルアミン及びポリビニルアミン、ポリビニルホルムアミド、ポリアリルアミンのコポリマー、並びにこれらの混合物からなる群から選択される材料が挙げられ得る。コーティングは、上記のポリビニルアルコールを含んでもよい。
【００７４】
コーティングは、カチオン性効率ポリマーを含んでもよい。カチオン性ポリマーは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択され得る。コーティングは、ポリビニルアミン、ポリビニルホルムアミド、ポリアリルアミン、これらのコポリマー、及びこれらの混合物からなる群から選択されるポリマーを含み得る。
【００７５】
コーティングは、ポリビニルホルムアミドを含んでもよい。ポリビニルホルムアミドは、約５％〜約９５％、約７％〜約６０％、又は更には約１０％〜約４０％の加水分解度を有してもよい。
【００７６】
効率ポリマーの１つ以上が、約１，０００Ｄａ〜約５０，０００，０００Ｄａ、約５，０００Ｄａ〜約２５，０００，０００Ｄａ、約１０，０００Ｄａ〜約１０，０００，０００Ｄａ、又は更には約３４０，０００Ｄａ〜約１，５００，０００Ｄａの平均分子質量を有することができる。効率ポリマーの１つ以上が、効率ポリマー１ｇ当たり約１ｍｅｑ〜約２３ｍｅｑ、効率的なポリマー１ｇ当たり約１．２ｍｅｑ〜１６ｍｅｑ、効率的なポリマー１ｇ当たり約２ｍｅｑ〜約１０ｍｅｑ、又は更には効率的なポリマー１ｇ当たり約１ｍｅｑ〜約４ｍｅｑの電荷密度を有することができる。
【００７７】
コア／シェル封入体は、乳化剤を含んでもよく、乳化剤は、好ましくはアニオン性乳化剤、非イオン性乳化剤、カチオン性乳化剤、又はこれらの混合物から選択され、好ましくは非イオン性乳化剤である。
【００７８】
追加の添加剤
本明細書に記載の洗剤組成物は、従来の洗濯添加剤などの他の従来の洗浄添加剤を含んでもよい。好適な添加剤には、ビルダー、キレート化剤、染料移染防止剤、分散剤、酵素安定剤、触媒材料、漂白剤、漂白触媒、漂白活性剤、高分子系分散剤、汚れ除去／再付着防止剤、例えばＰＥＩ６００  ＥＯ２０（例えばＢＡＳＦ）、高分子汚れ放出剤、高分子分散剤、高分子グリース洗浄剤、増白剤、泡抑制剤、染料、香料、構造弾性化剤、布地柔軟剤、担体、充填剤、ヒドロトロープ、溶媒、抗菌剤及び／又は保存剤、中和物及び／又はｐＨ調整剤、処理助剤、乳白剤、真珠光沢剤、色素、又はこれらの混合物が挙げられる。典型的な使用濃度としては、下は蛍光増白剤及び日焼け止めのような添加剤の組成物の０．００１重量％から、上はビルダーのための組成物の５０重量％までの範囲となる。好適な添加剤は、米国特許出願第１４／２２６，８７８号並びに米国特許第５，７０５，４６４号、同第５，７１０，１１５号、同第５，６９８，５０４号、同第５，６９５，６７９号、同第５，６８６，０１４号、及び同第５，６４６，１０１号に記載されており、これらはそれぞれ参照により本明細書に組み込まれる。
【００７９】
第１及び／又は第２の組成物は、界面活性剤系を含んでもよい。組成物は、組成物の約５重量％〜約６０重量％の界面活性剤系を含んでもよい。組成物は、組成物の約２０重量％から、又は約２５重量％から、又は約３０重量％から、又は約３５重量％から、又は約４０重量％から、約６０重量％まで、又は約５５重量％まで、又は約５０重量％まで、又は約４５重量％までの界面活性剤系を含んでもよい。組成物は、組成物の約３５重量％〜約５０重量％、又は約４０重量％〜約４５重量の界面活性剤系を含んでもよい。
【００８０】
界面活性剤系は、洗剤組成物の意図される目的に好適な任意の界面活性剤を含んでもよい。界面活性剤系は、アニオン性界面活性剤、非イオン性界面活性剤、カチオン性界面活性剤、双性イオン界面活性剤、両性界面活性剤、両性電解質界面活性剤、及びこれらの混合物から選択される洗浄性界面活性剤を含んでもよい。当業者であれば、洗浄性界面活性剤は、汚れた布地に洗浄、しみ除去、又は洗濯効果をもたらす、任意の界面活性剤又は界面活性剤混合物を包含することを理解するであろう。
【００８１】
界面活性剤系は、アニオン性界面活性剤を含んでもよい。アニオン性界面活性剤は、アルキルエトキシル化サルフェートを含み得るアルコキシル化サルフェート界面活性剤を含んでもよい。アニオン性界面活性剤は、直鎖アルキルベンゼンスルホネートなどのアルキルベンゼンスルホネートを含み得るアニオン性スルホネート界面活性剤を含んでもよい。
【００８２】
界面活性剤系は、非イオン性界面活性剤を含んでもよい。これらには、例えば、アルコキシル化脂肪族アルコール、及びアミンオキシド界面活性剤が含まれ得る。いくつかの例では、界面活性剤系は、エトキシル化非イオン性界面活性剤を含有してもよい。
【００８３】
組成物は、外部構造化系を含んでもよい。構造化系は、例えば、注出するのに好適な粘度、相安定性、及び／又は懸濁能力を提供するために、十分な粘度を組成物に与えるために使用されてもよい。
【００８４】
本開示の組成物は、０．０１重量％〜５重量％、又は０．１重量％〜１重量％の外部構造化系を含んでもよい。外部構造化剤系は、以下の（ｉ）及び（ｉｉ）からなる群から選択されてもよい：
（ｉ）非高分子系結晶質のヒドロキシ官能性構造化剤及び／又は
（ｉｉ）高分子系構造化剤。
【００８５】
このような外部構造化剤系は、組成物の洗浄性界面活性剤の任意の構造化効果とは独立して、すなわちこのような効果以外により、液体洗濯洗剤組成物を安定化させるのに十分な降伏応力又は低せん断粘度を付与することができるようなものであってよい。これらは、液体洗濯洗剤組成物に２１℃、２０ｓ−１にて１〜１５００ｃｐｓの高せん断粘度、及び５０００ｃｐｓを超える低せん断粘度（２１℃、０．０５ｓ−１にて）を付与することができる。粘度は、直径４０ｍｍ及びギャップサイズ５００μｍで、平板の鋼製スピンドルを用いるＴＡ  ｉｎｓｔｒｕｍｅｎｔｓ製のＡＲ５５０レオメータを使用して測定される。２０ｓ−１での高せん断粘度、及び０．５ｓ−１での低せん断粘度は、２１℃における３分間の０．１ｓ−１〜２５ｓ−１の対数せん断速度曲線から得ることができる。
【００８６】
本組成物は、約０．０１〜約１重量％の非ポリマー結晶性ヒドロキシル官能性構造化剤を含んでもよい。このような非ポリマー結晶性ヒドロキシル官能性構造化剤は、組成物中への分散を補助するために、予め乳化が可能な結晶化可能グリセリドを含んでもよい。好適な結晶化可能なグリセリドとしては、本明細書に記載の液体組成物内で結晶化させることができるという条件で、硬化ヒマシ油又は「ＨＣＯ」又はこれらの誘導体が挙げられる。
【００８７】
本組成物は、約０．０１重量％〜５重量％の天然由来及び／又は合成の高分子構造化剤を含んでもよい。好適な天然由来の高分子系構造剤としては：ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。好適な合成高分子系構造剤としては：ポリカルボキシラート、ポリアクリレート、疎水変性エトキシル化ウレタン、疎水変性非イオン性ポリオール、及びこれらの混合物が挙げられる。ポリカルボキシレートポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーであってもよい。このようなコポリマーは、商品名Ｃａｒｂｏｐｏｌ（登録商標）Ａｑｕａ  ３０でＮｏｖｅｏｎ  ｉｎｃから入手可能である。
【００８８】
組成物は酵素を含んでもよい。布地の洗濯の際に遊離する染料移行を防止するため、並びに布地を修復するための、タンパク質系、炭水化物系、又はトリグリセリド系のしみの基材からの除去を含む多様な目的のために、酵素を本組成物に含めてもよい。好適な酵素には、植物、動物、細菌、真菌、及び酵母起源質のような好適な起源物質からのプロテアーゼ、アミラーゼ、リパーゼ、カルボヒドラーゼ、セルラーゼ、オキシダーゼ、ペルオキシダーゼ、マンナナーゼ及びこれらの混合物が含まれる。本明細書に記載の組成物中で使用され得る他の酵素としては、ヘミセルラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルナーゼ、アラビノシダーゼ、ヒアルロナーゼ、コンドロイチナーゼ、ラッカーゼ、又はこれらの混合物が挙げられる。酵素の選択は、ｐＨ活性及び／又は安定性の最適条件、熱安定性、及び活性洗剤、ビルダーなどに対する安定性のような要因に影響される。
【００８９】
方法
本開示は、漂白剤及び特定のシェル材料を含む封入有益剤を含む組成物の使用方法及び製造方法に関する。
【００９０】
本開示は、布地などの表面の処理方法に関する。この方法は、布地などの表面を洗浄液と接触させる工程を含む。洗浄液は、約３０ｐｐｍ〜約５００ｐｐｍ、又は約５０ｐｐｍ〜約３００ｐｐｍの漂白系と、約１ｐｐｍ〜約２５ｐｐｍ、又は約３ｐｐｍ〜約１５ｐｐｍのシェル材料を含むコア−シェル型封入体と、水と、を含み得る。洗浄液は、好ましくは約１００ｐｐｍ〜約１５００ｐｐｍ、又は約２００ｐｐｍ〜約１１００ｐｐｍの濃度で存在し得る、アニオン性界面活性剤及び／又は非イオン性界面活性剤を含む界面活性剤を更に含んでもよい。好適な漂白剤、封入体、及び有益剤については、上でより詳細に説明している。漂白系は、予備形成されたペルオキシ酸又はその塩、好ましくはフタルイミド−ペルオキシ−アルカン酸又はその塩を含んでもよい。シェル材料は、ポリアクリレートを含み得るアクリレート材料を含んでもよい。有益剤は、香料原料を含んでもよい。
【００９１】
この方法は、自動洗濯機内で起きてもよい。自動洗濯機は、トップローディング機又はフロントローディング機であってもよい。この方法は、自動洗濯機の洗浄サイクル中に起きてもよい。
【００９２】
洗浄溶液は、約１０Ｌ〜約７５Ｌの体積を有してもよい。従来の北米のトップローディング機は、典型的には約６４Ｌの水を使用する。高効率のフロントローディング機は、典型的には約１９Ｌの水を使用する。高効率のトップローディング機は、典型的には、約２５〜３０Ｌの水を使用する。西ヨーロッパの機械は、典型的には約１３Ｌの水を使用する。日本の機械は、典型的には、約３０Ｌ〜約５０Ｌの水を使用する。
【００９３】
洗浄液の水は、約１０℃〜約４０℃、又は約１５℃〜約３０℃の初期温度を有し得る。
【００９４】
本開示はまた、布地などの表面を処理する方法に関し、この方法は、ａ）漂白系を含む第１の組成物と布地などの表面を接触させる工程と、ｂ）シェル材料を含む封入有益剤を含む第２の組成物と布地を接触させる工程と、を含む。工程ａ）は、水の存在下で起きてもよい。工程ｂ）は、水の存在下で起きてもよい。この方法は、上述のように、自動洗濯機内で起きてもよい。
【００９５】
工程ａ）及びｂ）は、実質的に同時に起きてもよい。例えば、第１及び第２の組成物は、例えば洗浄サイクルが開始する前に、自動洗濯機のドラム内に実質的に同時に分配されてもよい。第１及び第２の組成物は、異なる容器から、又は単一の多区画容器から分配されてもよい。布地に接触させる前に、第１及び第２の組成物は、多区画容器内に収容されてもよい。布地に接触させる前に、第１の組成物は、第１の容器内に収容されてもよく、第２の組成物は、第２の容器内に収容されてもよい。
【００９６】
工程ａ）は、工程ｂ）の前に起きてもよい。例えば、工程ａ）は、自動洗濯機で洗浄サイクル中に起きてもよく、一方、工程ｂ）は、自動洗濯機ですすぎサイクル中に起きてもよい。第１及び第２の組成物は、自動洗濯機の自動的な所定の投与レジメンに従って分配され得る。
【００９７】
本開示の組成物は、布地用添加剤、布地柔軟剤、すすぎ補助剤等の他の組成物と組み合わせて使用してもよい。更に、本開示の組成物は、既知の手洗い方法で使用してもよい。
【００９８】
本開示はまた、消費者製品の作製方法に関する。この方法は、漂白剤を含有する第１の組成物を第１の区画に提供する工程と、シェル材料を含む封入有益剤を含有する第２の組成物を第２の区画に提供する工程と、を含み得る。第１及び第２の区画は、安全かつ便利な輸送又は保管を可能にするように封止されてもよい。第１の区画及び第２の区画は、多区画容器の一部であってもよい。多区画容器は、単位用量物品であってもよい。多区画容器は、多区画ボトルであってもよい。
【００９９】
本開示による液体組成物は、従来の方法に従って、例えばバッチプロセス又は連続ループプロセスで作製されてもよい。乾燥（例えば、粉末又は顆粒）組成物は、従来の方法に従って、例えば、本明細書に記載の構成成分を含むスラリーを噴霧乾燥又はブロー乾燥することによって作製されてもよい。
【０１００】
本明細書に記載される組成物は、布地を処理するために使用され得る単位用量物品を形成するため、パウチ、好ましくは水溶性フィルムで作製されたパウチに封入されてもよい。このようなパウチは、既知の方法に従って作製されてもよい。
【０１０１】
組み合わせ
本開示の具体的に想到される組み合わせを、ここで以下のアルファベットを付した段落に記載する。これらの組み合わせは、事実上例示的なものであり、限定的であることを意図したものではない。
【０１０２】
Ａ．多組成物系であって、漂白系を含む第１の組成物と、コア−シェル型封入体を含む第２の組成物であって、シェルはアクリレート材料を含み、コアは有益剤を含む、第２の組成物と、を含む、多組成物系。
【０１０３】
Ｂ．漂白系が、好ましくは予備形成されたペルオキシ酸又はその塩、より好ましくは過カルボン酸及び塩、過炭酸及び塩、過イミド酸及び塩、ペルオキシ一硫酸及び塩、並びにこれらの混合物を含む、予備形成された過酸を含む、段落Ａに記載の多組成物系。
【０１０４】
Ｃ．漂白系が、フタルイミド−ペルオキシ−アルカン酸、好ましくはε−フタルイミドペルオキシヘキサン酸（ＰＡＰ）、又はこれらの塩を含む、段落Ａ〜Ｂのいずれか１つに記載の多組成物系。
【０１０５】
Ｄ．アクリレート材料が、ポリアクリレート、ポリエチレングリコールアクリレート、ポリウレタンアクリレート、エポキシアクリレート、ポリメタクリレート、ポリエチレングリコールメタクリレート、ポリウレタンメタクリレート、エポキシメタクリレート、及びこれらの混合物から選択される、段落Ａ〜Ｃのいずれか１つに記載の多組成物系。
【０１０６】
Ｅ．アクリレート材料がポリアクリレートを含む、段落Ａ〜Ｄのいずれか１つに記載の多組成物系。
【０１０７】
Ｆ．ポリアクリレートが、アミンアクリレート部分、メタクリレート部分、カルボン酸アクリレート部分、カルボン酸メタクリレート部分、及びこれらの組み合わせからなる群から選択される部分を含む、段落Ａ〜Ｅのいずれか１つに記載の多組成物系。
【０１０８】
Ｇ．アクリレート材料が、好ましくは三官能性アクリレート、四官能性アクリレート、五官能性アクリレート、六官能性アクリレート、七官能性アクリレート、及びこれらの混合物からなる群から選択される、１つ以上の多官能性アクリレート部分に由来するポリマーを含む、段落Ａ〜Ｆのいずれか１つに記載の多組成物系。
【０１０９】
Ｈ．有益剤が香料原料を含む、段落Ａ〜Ｇのいずれか１つに記載の多組成物系。
【０１１０】
Ｉ．コアが、植物油、変性植物油、プロパン−２−イルテトラデカノエート、及びこれらの混合物からなる群から選択される分配調整剤を更に含む、段落Ａ〜Ｈのいずれか１つに記載の多組成物系。
【０１１１】
Ｊ．封入体が、封入体の壁の外表面を少なくとも部分的にコーティングする付着ポリマーを含む、段落Ａ〜Ｉのいずれか１つに記載の多組成物系。
【０１１２】
Ｋ．多組成物系が多区画容器内に収容され、第１の組成物が容器の第１の区画内にあり、第２の組成物が容器の第２の区画内にある、段落Ａ〜Ｊのいずれか１つに記載の多組成物系。
【０１１３】
Ｌ．第２の組成物が、第２の組成物の約５重量％〜約６０重量％の界面活性剤系を更に含み、界面活性剤系は、アニオン性界面活性剤、非イオン性界面活性剤、カチオン性界面活性剤、双極性イオン界面活性剤、両性界面活性剤、両性電解質界面活性剤、及びこれらの混合物から選択される洗浄性界面活性剤を含む、段落Ａ〜Ｋのいずれか１つに記載の多組成物系。
【０１１４】
Ｍ．第１の組成物、第２の組成物、又はその両方が液体組成物である、段落Ａ〜Ｌのいずれか１つに記載の多組成物系。
【０１１５】
Ｎ．布地を処理する方法であって、この方法は、布地を洗浄液と接触させる工程を含み、洗浄液は、約３０ｐｐｍ〜約５００ｐｐｍの漂白系と、約１ｐｐｍ〜約２５ｐｐｍのコア−シェル型封入体であって、シェルはアクリレート材料を含み、コアは有益剤を含む、コア−シェル型封入チアと、水と、を含む、方法。
【０１１６】
Ｏ．漂白系が、予備形成されたペルオキシ酸又はその塩、好ましくはフタルイミド−ペルオキシ−アルカン酸又はその塩を含み、アクリレート材料はポリアクリレートを含み、有益剤は香料原料を含む、段落Ｎに記載の方法。
【０１１７】
Ｐ．布地を処理する方法であって、この方法は、（ａ）漂白系を含む第１の組成物と布地を接触させる工程（例えば、段落Ａ〜Ｍのいずれか１つに記載のとおり）と、（ｂ）コア−シェル型封入体を含む第２の組成物と布地を接触させる工程であって、シェルはアクリレート材料を含み、コアは有益剤を含む、工程（例えば、段落Ａ〜Ｍのいずれか１つに記載のとおり）と、を含む、方法。
【０１１８】
Ｑ．漂白系が、予備形成されたペルオキシ酸又はその塩を含む、段落Ｐに記載の方法。
【０１１９】
Ｒ．工程ａ）及びｂ）が、実質的に同時に起こる、段落Ｐ〜Ｑのいずれか１つに記載の方法。
【０１２０】
Ｓ．布地に接触させる前に、第１及び第２の組成物が多区画容器内に収容されている、段落Ｐ〜Ｒのいずれか１つに記載の方法。
【０１２１】
Ｔ．布地に接触させる前に、第１の組成物が第１の容器内に収容され、第２の組成物が第２の容器内に収容されている、段落Ｐ〜Ｓのいずれか１つに記載の方法。
【０１２２】
Ｖ．多組成物系であって、漂白系を含む第１の組成物と、コア−シェル型封入体を含む第２の組成物であって、シェルは、好ましくはポリビニルホルムアミドなどのカチオン性ポリマーを含むコーティングを含み、任意追加的に、シェルは、メラミンホルムアルデヒドなどのアミノプラストを含み、コアは、香料原料などの有益剤を含む、第２の組成物と、を含み、その他の点で段落Ａ〜Ｔのいずれか１つに記載のとおりの多組成物系及び関連方法である、多組成物系。
【０１２３】
試験方法
体積加重平均封入寸法の決定方法
封入寸法は、Ｐａｒｔｉｃｌｅ  Ｓｉｚｉｎｇ  Ｓｙｓｔｅｍｓ（Ｓａｎｔａ  Ｂａｒｂａｒａ  ＣＡ）製Ａｃｃｕｓｉｚｅｒ  ７８０Ａを用いて測定される。この器具は、Ｄｕｋｅ粒径標準を用いて０〜３００μｍの範囲で較正される。封入寸法評価のためのサンプルは、約１ｇの乳濁液（乳濁液の体積加重平均封入寸法を求める場合）、又は１ｇのカプセルスラリー（最終カプセルの体積加重平均封入寸法を求める場合）を約５ｇの脱イオン水に希釈し、約１ｇのこの溶液を約２５ｇの水に更に希釈することによって調整する。
【０１２４】
自動希釈機能を用いて、約１ｇの最も希釈された試料がＡｃｃｕｓｉｚｅｒに添加され、試験が開始される。Ａｃｃｕｓｉｚｅｒは、９２００カウント／秒を超えて読み取るはずである。カウントが９２００未満の場合、追加の試料が添加されるべきである。Ａｃｃｕｓｉｚｅｒは、９２００カウント／秒になるまで試験試料を希釈し、評価を開始する。試験から２分後、Ａｃｃｕｓｉｚｅｒは、体積加重中央寸法を含む結果を表示する。
【０１２５】
蓄積封入体体積の９５％が超えた封入体寸法（９５％寸法）、蓄積封入体体積の５％が超えた封入体寸法（５％寸法）、及び中央体積加重封入体寸法（５０％寸法−この寸法を上回る封入体体積及びこの寸法を下回る封入体体積の両方が封入体体積の５０％）を決定することによって、ブロードネス指数を計算することができる。ブロードネス指数（５）＝（（９５％寸法）−（５％寸法）／５０％寸法）。
【実施例】
【０１２６】
下記の例は、事実上例示的なものであり、制限的であることを意図したものではない。
【０１２７】
実施例１封入スラリーの調製。
封入スラリーは、以下の手順に従って調製することができる。
【０１２８】
１５０ｇの香油、０．６ｇのＤｕＰｏｎｔ  Ｖａｚｏ−５２、及び０．４ｇのＤｕＰｏｎｔ  Ｖａｚｏ−６７からなる油剤を、１０００ｒｐｍで混合しながら（４先端、直径２’’、平らなミル刃）、３５℃で温度制御された鋼被覆反応器に加え、窒素ブランケットを１００ｃｃ／分で適用する。油剤を、４５分間かけて７５℃に加熱し、７５℃で４５分間維持し、７５分間かけて６０℃まで冷却する。
【０１２９】
３７．５ｇの香油、０．５ｇの第三級ブチルアミノエチルメタクリレート、０．４ｇの２−カルボキシエチルアクリレート、及び１９．５ｇのＳａｒｔｏｍｅｒ  ＣＮ９７５（六官能性芳香族ウレタンアクリレートオリゴマー）からなる第２の油剤を、第１の油剤が６０℃に達した時点で加える。合わせた油を、６０℃で更に１０分間維持する。
【０１３０】
混合を停止し、１１２ｇの５％  Ｃｅｌｖｏｌ  ５４０ポリビニルアルコール、２００ｇの水、１．１ｇの２０％  ＮａＯＨ、及び１．１７ｇのＤｕＰｏｎｔ  Ｖａｚｏ−６８ＷＳＰからなる水溶液を、漏斗を用いて油剤の底部に加える。
【０１３１】
混合を再開し、２５００ｒｐｍで６０分間混合して、油相を水溶液に乳化する。ミリングが完了した後、３’’プロペラを用いて３５０ｒｐｍで混合を続ける。バッチを６０℃で４５分間維持し、温度を３０分間かけて７５℃に上昇させ、７５℃で４時間維持し、３０分間かけて９０℃に加熱し、９０℃で８時間維持する。その後、バッチを室温まで冷却する。
【０１３２】
得られたスラリー中の封入体は、約５〜２０マイクロメートルの中央封入体寸法を有する。封入体は、封入体の約１０重量％の壁材料と、封入体の約９０重量％のコア材料と、を含む。
【０１３３】
実施例２ＰＡＰの存在下での封入体の比較。
実施例２及び３では、以下の命名法が使用される。
【０１３４】
【表１】
0006945946.tif 000002
【０１３５】
以下の試験では、摩擦前及び摩擦後の乾燥布地の臭気（ＤＦＯ）に関する専門調香師の判定に従って、封入体１及び２の性能を比較する。性能は、ＰＡＰの有無にかかわらず、ベース洗剤組成物を含む洗浄サイクル（北米のフロントローディング機）で判定される。それぞれの群について、両方の封入体は、洗浄液中に２０ｐｐｍの濃度で存在し、ＰＡＰ（存在する場合）は、洗浄液中に約２７０ｐｐｍで存在する。それぞれの群について、一方の試験の布地を自動乾燥機でタンブル乾燥させ、他方の試験の布地を空気乾燥させた状態で、２回の試験を行う。タンブル乾燥させた試験の結果は、それぞれの群についてほぼ等しいように見えるが、空気乾燥させた試験の結果を以下の表１に示す。ＰＡＰと組み合わせた封入体のそれぞれのデータ点について、２つのＰＡＰ群（群２及び４）を比較した差のように、相当する非ＰＡＰ群との差（Δ）も示されている。
【０１３６】
ＤＦＯスコアに関しては、５の差は方向的に異なると見なされ、１０の差は消費者が気づくものと見なされる。
【０１３７】
【表２】
0006945946.tif 000003
【０１３８】
表１に示すように、ＰＡＰの存在なしでは、封入体１及び２の空気乾燥された布地の性能はほぼ等しい（群１及び３を比較）。しかしながら、ＰＡＰの存在下では、封入体２は、空気乾燥された布地において封入体１よりも良好に機能する（群４、Δｖｓ．２を参照されたい）。更に、群４（封入体２＋ＰＡＰ）の結果から、群３（Δｖｓ．３）と比較して、群２と群１の比較（Δｖｓ．１）によって示されるよりも、ＤＦＯ（摩擦前及び摩擦後）の増加が相対的に大きいことがわかる。
【０１３９】
実施例３濃度比較。
以下の実施例では、摩擦前及び摩擦後の乾燥布地の臭気（ＤＦＯ）に関する専門調香師の判定に従って、封入体１及び２の性能を比較した。性能は、ＰＡＰの有無にかかわらず、ベース洗剤組成物を含む洗浄サイクル（北米のフロントローディング機）で判定した。それぞれの群について、封入体１は洗浄液中に１０ｐｐｍの濃度で存在し、封入体２は洗浄液中に２ｐｐｍの濃度で存在し、ＰＡＰ（存在する場合）は洗浄液中に約２７０ｐｐｍで存在した。それぞれの群について、２回の試験を実施した。それぞれの群の平均結果を以下の表２に示す。
【０１４０】
ＤＦＯスコアに関しては、５の差は方向的に異なると見なされ、１０の差は消費者が気づくものと見なされる。
【０１４１】
【表３】
0006945946.tif 000004
【０１４２】
表２のデータによって示されるように、封入体２は、封入体２が封入液１の濃度より５倍低い濃度で洗浄液中に存在するという事実にもかかわらず、封入体１がもたらすＤＦＯスコアとは１０点未満異なるＤＦＯスコアをもたらしている（すなわち、消費者が気づく差異ではないと見なされる）。
【０１４３】
他の封入体よりも低い濃度で好適な性能利益を提供する封入体２などの封入体は、コスト関連の理由で（同様の利益を提供するために必要とされるコストが低いため）、及び／又はコンパクトな製剤（処方空間が限定される）において特に好ましい場合がある。
【０１４４】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【０１４５】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本明細書に援用される。いずれの文献の引用も、こうした文献が本明細書中で開示又は特許請求されるいずれかの開示に対する先行技術であることを容認するものではなく、また、こうした文献が、単独で、あるいは他のあらゆる参照文献との組み合わせにおいて、こうした開示のいずれかを参照、教示、示唆又は開示していることを容認するものでもない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１４６】
以上、本開示の特定の実施形態について図示、説明したが、本開示の趣旨及び範囲から逸脱することなく他の様々な変更及び改変が可能である点は当業者には明白であろう。したがって、本開示の範囲内に属する全てのこのような変更及び修正は、添付の特許請求の範囲にて網羅することを意図したものである。
【図１】
0006945946.tif 000005
【図２】
0006945946.tif 000006
【図３】
0006945946.tif 000007
【図４】
0006945946.tif 000008
【図５】
0006945946.tif 000009
【図６】
0006945946.tif 000010